(57)【特許請求の範囲】
【請求項１】
ハウジング３１の内部に光源バルブ３２が収納されると共に開口部側にレンズ３３が装着され、前記ハウジング３１の相対向する側面に複数の係合凹部３１ａが形成され、また、前記ハウジング３１の閉塞側に磁性部材あるいは面ファスナーの何れかであるルーフ１２に取付可能な固定部材３７が取付けられたルームランプ３と、
前記したルームランプ３のハウジング３１が挿入可能な大きさのルームランプ固定孔２２が形成されると共に該ルームランプ固定孔２２より内側に突出する先端に向かって窄まる突出片２３が形成されたトリム２と、
ルーフ１２の下面側に所望の間隙を介して固定され、前記ルームランプ３のハウジング３１が挿入される挿入孔１３ａが形成されたルーフパネル１３と、
から構成し、前記ルームランプ３は前記トリム２の突出片２３をハウジング３１の係合凹部３１ａに係合することでトリム２に対して前後左右に移動が規制されて仮固定され、前記ハウジング３１をルーフパネル１３の挿入孔１３ａ内に挿入することで前記固定部材３７が前記ルーフ１２の裏面に固定され、ルームランプ３とトリム２とが一体となってルーフ１２に固定されることを特徴とするルームランプの固定構造。
【請求項２】
前記固定部材３７はハウジング３１に対して着脱自在に取付けられることを特徴とする請求項１記載のルームランプの固定構造。
【請求項３】
前記固定部材３７が面ファスナーであり、前記ルーフ１２の裏面に取付けられた面ファスナー１７との係合によってルームランプ３とトリム２とが一体となってルーフ１２に固定されることを特徴とする請求項１記載のルームランプの固定構造。
【請求項４】
前記固定部材３７がマグネットであり、該マグネットがルーフ１２に吸着されることでルームランプ３とトリム２とが一体となってルーフ１２に固定されることを特徴とする請求項１記載のルームランプの固定構造。
【発明の詳細な説明】
【０００１】
【発明の属する技術分野】
本発明は自動車におけるルームランプの固定構造に関し、詳細には、トリムにルームランプを取付け、該ルームランプが取付けられたトリムを車両のルーフパネルに取付けることにより、ルームランプをトリムとともにルーフパネルに固定するようにしたルームランプの固定構造に関するものである。
【０００２】
【従来の技術】
従来、この種のルームランプの固定構造としては、例えば、実開平９−６５０９３号公報に開示されたものがある。この考案は、ルームランプに取付けられた板ばねによるブラケットによって、ルームランプのフランジ部と前記ブラケットとの間でトリムを挟持し、前記ブラケットの先端ばね部をルーフパネルに形成された係合孔に係合してトリムとルームランプをルーフパネルに取付けるものであった。
【０００３】
【発明が解決しようとする課題】
ところで、前記した従来例にあっては、トリムにルームランプを取付けるには、ルームランプをトリムに形成されたランプ取付孔に挿入した後に、ブラケットをルームランプのクリップ部に圧入してトリムの縁をブラケットとルームランプのボディーとの間で挟持するものであるため、トリムにルームランプを取付ける作業が面倒であるといった問題があった。
【０００４】
また、ルームランプはルーフパネルに対して前記ブラケットを孔に弾性的に係止することで取付けられているので、ルームランプとルーフパネルとは直接的に取付けされていないので、取付けが非常に不安定となって、車両の走行時における振動によってガタ付いて騒音を発生する可能性もある。
【０００５】
本発明は前記した問題点を解決せんとするもので、その目的とするところは、ルームランプをトリムに取付けた後に、前記ルームランプの光の漏れを防止する蓋に取付けられた結合部材をルーフパネルに固定するようにしたので、ルームランプ自体がトリムとともに車体のルーフパネルに固定されるので、作業性の向上と、ルームランプを確実にルーフパネルに固定できて、ルームランプがカタ付いて騒音を発生することがないルームランプの固定構造を提供せんとするものである。
【０００６】
【課題を解決するための手段】
請求項１にかかる発明は、ハウジング３１の内部に光源バルブ３２が収納されると共に開口部側にレンズ３３が装着され、前記ハウジング３１の相対向する側面に複数の係合凹部３１ａが形成され、また、前記ハウジング３１の閉塞側に磁性部材あるいは面ファスナーの何れかであるルーフ１２に取付可能な固定部材３７が取付けられたルームランプ３と、前記したルームランプ３のハウジング３１が挿入可能な大きさのルームランプ固定孔２２が形成されると共に該ルームランプ固定孔２２より内側に突出する先端に向かって窄まる突出片２３が形成されたトリム２と、ルーフ１２の下面側に所望の間隙を介して固定され、前記ルームランプ３のハウジング３１が挿入される挿入孔１３ａが形成されたルーフパネル１３とから構成し、前記ルームランプ３は前記トリム２の突出片２３をハウジング３１の係合凹部３１ａに係合することでトリム２に対して前後左右に移動が規制されて仮固定され、前記ハウジング３１をルーフパネル１３の挿入孔１３ａ内に挿入することで前記固定部材３７が前記ルーフ１２の裏面に固定され、ルームランプ２とが一体となってトリム３はルーフ１２に固定されることを特徴とする。
【０００７】
請求項２にかかる発明は、請求項１に記載のルームランプ固定構造において、前記固定部材３７はハウジング３１に対して着脱自在に取付けられることを特徴とする。
【０００８】
請求項３にかかる発明は、請求項１に記載のルームランプ固定構造において、前記固定部材３７が面ファスナーであり、前記ルーフ１２の裏面に取付けられた面ファスナー１７との係合によってルームランプ３とトリム２とが一体となってルーフ１２に固定されることを特徴とする。
【０００９】
請求項４にかかる発明は、請求項１に記載のルームランプ固定構造において、前記固定部材３７がマグネットであり、該マグネットがルーフ１２に吸着されることでルームランプ３とトリム２とが一体となってルーフ１２に固定されることを特徴とする。
【００１０】
【発明の実施の形態】
以下、この発明の実施形態を図に基づいて説明する。
図１はこの発明の一実施形態であるルームランプの固定構造におけるルームランプ第１固定手段と、ルームランプ第２固定手段の一部とを示す分解斜視図、図２（ａ），（ｂ）はルームランプの蓋に面ファスナの他方を取付ける構成を示す部分拡大斜視図、および面ファスナの他方を示す拡大側面図、図３は図１に示したルームランプを左斜め下側から見た正面図、図４はルームランプを固定した状態の断面図、図５はルーフパネルの固定孔と、トリムのルームランプ固定孔と、ルームランプとの関係を示す説明図である。
なお、図１におけるトリムは、凹部の部分のみが図示されている。また、図４は、図５のＸ−Ｘ線による断面図である。
【００１１】
図５において、１２は車体のルーフであり、該ルーフ１２にはルーフパネル１３が所望の間隙を介して固定されている。そして、ルーフパネル１３には、後述するルームランプ３を挿入する挿入孔１３ａが設けられている。
【００１２】
また、ルーフ１２の下側の挿入孔１３ａに対応する範囲内に、後述する面ファスナ部分３７に対応させて、面ファスナ３７よりも大きな（広い）他の面ファスナ１７が固定されている。この面ファスナ１７は、ルーフ１２に接着剤で固定される基部１７ａと、この基部１７ａに設けられた結合部１７ｂとで構成されている。
【００１３】
図１において、２はトリムを示し、例えば発砲ウレタンの基材の下面にフェルトなどの被覆材を被覆したもので、ルームランプ３の大きさで上側へ凹んだ凹部２１と、この凹部２１の底に位置するルームランプ固定孔２２と、このルームランプ固定孔２２へ対向して突出する２つの突出片２３とが設けられている。そして、各突出片２３は、両側面２３ａが先端へ向かって窄まる傾斜面とされている。
【００１４】
３はルームランプを示し、合成樹脂製のハウジング３１と、図４に示すように、ハウジング３１内に収容された光源バルブ３２と、ハウジング３１の下面を閉塞し、ハウジング３１の外側にフランジ３３ａが周回するように突出しているレンズ３３と、図２および図３に示すように、操作部分がレンズ３３から下側へ突出するように図示しないスイッチに取付けられた操作ノブ３４と、ハウジング３１の上側に取付けられ、光の漏れを防止する蓋３５とで構成されている。
【００１５】
そして、ハウジング３１の側面（外周）には、図４および図５に示すように、トリム２の２つの突出片２３に対応する位置に、それぞれ突出片２３が係合する係合凹部３１ａが一体的に成形して設けられている。
【００１６】
また、蓋３５に面ファスナ３７を取付けるため、図２に示すように、凹部３５ａを形成する平板部３５ｂが設けられ、この平板部３５ｂに面ファスナ部分３７を取付けるための挿入固定切欠３５ｃが設けられている。
【００１７】
そして、面ファスナ３７は、平板部３５ｂを挟む間隔の第１基部３７ａおよび第２基部３７ｂと、この第１基部３７ａと第２基部３７ｂとを連結し、挿入固定切欠３５ｃ内へ着脱自在に挿入される連結部３７ｃと、第１基部３７ａに設けられ、第１基部３７ａの上面には前記面ファスナ１７の結合部１７ｂと結合する結合部３７ｄが一体的に形成されている。
【００１８】
上記したルームランプ固定孔２２と、各突出片２３と、各係合凹部３１ａとにより、トリムに対するルームランプ第１固定手段Ｒが構成されている。また、両ファスナ１７，３７により、ルームランプ第２固定手段Ｓ（面ファスナ）が構成されている。
【００１９】
次に、ルームランプ第２固定手段Ｓである両ファスナ１７，３７の取付けについて説明する。
まず、ルーフ１２の下側の挿入孔１３ａに対応する範囲内に、面ファスナ３７に対応させて接着剤で基部１７ａを接着、固定する。
【００２０】
一方、面ファスナ３７の第１、第２基部３７ａ，３７ｂの間を蓋３５の平板部３５ｂに位置させ、連結部３７ｃを挿入固定切欠３５ｃ内に押し込むとともに、第２基部３７ｂを凹部３５ａ内へ挿入することにより、２つの面ファスナ３７を、図４に示すように、蓋３５に取付けることができる。
【００２１】
次に、ルームランプ３をトリム２を介してルーフ１２に固定する方法について説明する。
まず、トリム２とレンズ３３との間にハウジング３１を位置させ、各係合凹部３１ａをそれぞれ突出片２３に対応させる。そして、ハウジング３１をルームランプ固定孔２２へ挿入すると、各突出片２３がハウジング３１で押されて撓み、フランジ３３ａが凹部２１の内面に当接するので、各突出片２３を対応する係合凹部３１ａ内へ押し込むことにより、トリム２にルームランプ３をルームランプ第１固定手段Ｒで固定できる。
【００２２】
このように、トリム２にルームランプ３をルームランプ第１固定手段Ｒで固定すると、各突出片２３の両側面２３ａが先端へ向かって窄まる傾斜面とされているので、図５に示すように、各側面２３ａ（傾斜面）の一部が係合凹部３１ａの内周面の外縁に当接することにより、ルームランプ３は、トリム２に対して前後左右へ移動するのを規制され、トリム２に対してガタ付かなくなる。
【００２３】
このように、トリム２にルームランプ３を固定した後、ハウジング３１をルーフパネル１３の挿入孔１３ａへ挿入し、面ファスナ１７の係合部１７ｂに、面ファスナ３７の係合部３７ｄを係合させることにより、ルーフ１２にルームランプ３を固定できるので、該ルームランプ３を介してトリム２をルームランプ第２固定手段Ｓで固定できる。
【００２４】
なお、前記した実施の形態にあっては、面ファスナ１７，３７を結合部材とした場合について説明したが、前記蓋３５に取付ける面ファスナ３７に代えてマグネットとし、ルーフ１２に取付ける面ファスナ１７を無くして、前記マグネットを直接、車体である磁性体のルーフ１２に吸着してもよい。
【００２５】
【発明の効果】
以上のように、この発明によれば、ルームランプ固定手段により、ルーフパネルに対してルームランプとトリムとをワンタッチで取付けることができるので、自動車の組立ラインにおける組立作業の工数の削減を図ることができる。
【００２６】
そして、各突出片の両側面を先端へ向かって窄まる傾斜面としたので、各側面の一部が係合凹部の内周面の外縁に当接することにより、ルームランプをトリムに対して前後左右へガタ付かないように取付けることができる。
【００２７】
また、結合部材を面ファスナとした場合には、他方の面ファスナを蓋に対して着脱可能にしたので、他方の面ファスナに不都合が生じた場合、容易に交換することができる等の効果を有するものである。
【図面の簡単な説明】
【図１】この発明の一実施形態であるルームランプの固定構造におけるルームランプ第１固定手段と、ルームランプ第２固定手段の一部とを示す分解斜視図である。
【図２】（ａ），（ｂ）はルームランプの蓋に面ファスナの他方を取付ける構成を示す部分拡大斜視図、および面ファスナの他方を示す拡大側面図である。
【図３】図１に示したルームランプを左斜め下側から見た正面図である。
【図４】ルームランプを固定した状態の断面図である。
【図５】ルーフパネルの固定孔と、トリムのルームランプ固定孔と、ルームランプとの関係を示す説明図である。
【符号の説明】
１２    ルーフ
１３    ルーフパネル
１３ａ  挿入孔
１７    面ファスナ（ルームランプ第２固定手段）
１７ａ  基部
１７ｂ  係合部
２      トリム
２１    凹部
２２    ルームランプ固定孔
２３    突出片（ルームランプ第１固定手段）
２３ａ  側面
３      ルームランプ
３１    ハウジング
３１ａ  係合凹部（ルームランプ第１固定手段）
３２    光源バルブ
３３    レンズ
３３ａ  フランジ
３４    操作ノブ
３５    蓋
３５ａ  凹部
３５ｂ  平板部
３５ｃ  挿入固定切欠
３７    面ファスナ（ルームランプ第２固定手段）
３７ａ  第１基部
３７ｂ  第２基部
３７ｃ  連結部
３７ｄ  係合部
Ｒ      ルームランプ第１固定手段
Ｓ      ルームランプ第２固定手段
【図１】
0003908501.tif 000002
【図２】
0003908501.tif 000003
【図３】
0003908501.tif 000004
【図４】
0003908501.tif 000005
【図５】
0003908501.tif 000006